(57)【要約】【課題】半導体レーザアレイを用いた光学ッドにおいて、ＤＶＤ及びＣＤの最良傾角の差が小さく、かつ再生信号性能のよい光学ヘッド装置を提供する。【解決手段】  第1の波長の光ビームを出射する第1の光源と、前記第1の光源とほぼ同位置に配置され、前記第1の波長とは異なる第2の波長の光ビームを出射する第2の光源と、前記第１の光源と第２の光源からの光ビームを記録媒体に集光させる対物レンズとを有した光学ヘッド装置において、前記対物レンズの光軸は、前記第１と第２の光源の光軸に対して非対称な位置としている。【選択図】  図１
2004171786.tif 000002
【特許請求の範囲】
【請求項１】
第1の波長の光ビームを出射する第1の光源と、
前記第1の光源とほぼ同位置に配置され、前記第1の波長とは異なる第2の波長の光ビームを出射する第2の光源と、
前記第１の光源と第２の光源からの光ビームを記録媒体に集光させる対物レンズとを有した光学ヘッド装置において、
前記対物レンズの光軸は、前記第１と第２の光源の光軸に対して非対称な位置であることを特徴とする光学ヘッド装置。
【請求項２】
上記の記録媒体は、前記第１の光源を用いるときの対称となる第１のディスクと、前記第２の光源を用いるときの読取り対称となる第２のディスクとであり、
この第１と第２のディスクの基板厚をそれぞれｔ１、ｔ２とし、
前記第１の光源の光軸と前記対物レンズの光軸との距離をδ１、前記第２の光源の光軸と前記対物レンズの光軸との距離をδ２としたときに、
ｔ１＜ｔ２、δ１＞δ２なる関係であることを特徴とする請求項１記載の光学ヘッド装置。
【請求項３】
前記第２の光源の光軸は、前記対物レンズの光軸とほぼ一致することを特徴とする請求項１記載の光学ヘッド装置。
【請求項４】
上記第１と第２の光源は、多波長型の半導体レーザアレイにより構成されていることを特徴とする請求項１記載の光学ヘッド装置。
【請求項５】
第１の波長の光ビームを出射する第１の光源と、前記第１の光源とほぼ同一位置に配置され、前記第１の波長とは異なる第２の波長の光ビームを出射する第２の光源と、前記第１或いは第2の光源とレーザ光を光ディスクに集束照射する対物レンズと、前記光ディスクから反射され前記対物レンズを介して戻ってきた反射光を回折して受光素子に導くホログラムとを有した光学ヘッド装置において、
前記ホログラムにおける投影では、前記第１と第２の光源の光軸の中間位置に前記ホログラムの中心を合せて配置していることを特徴とする光学ヘッド装置。
【請求項６】
前記対物レンズの光軸方向の投影面内で、前記ホログラムの中心と前記第１の光源の光軸との距離をδ１、前記ホログラムの中心と前記第２の光源の光軸との距離をδ２としたとき、ほぼδ１＝δ２であることを特徴とする請求項５記載の光学ヘッド装置。
【請求項７】
前記対物レンズの光軸方向の投影面内で、前記ホログラムの中心と前記第１の光源の光軸との距離をδ１、前記ホログラムの中心と前記第２の光源の光軸との距離をδ２としたとき、ほぼδ１＜δ２であることを特徴とする請求項５記載の光学ヘッド装置。
【請求項８】
前記ホログラムは混合収差法によりフォーカスずれを検出するためのものであることを特徴とする請求項５記載の光学ヘッド装置。
【請求項９】
第１の波長の光ビームを出射する第１の光源と、前記第１の光源とほぼ同一位置に配置され、前記第１の波長とは異なる第２の波長の光ビームを出射する第２の光源と、前記第１或いは第2の光源とレーザ光を光ディスクに集束照射する対物レンズと、前記光ディスクから反射され前記対物レンズを介して戻ってきた反射光を回折して受光素子に導くホログラムとを有した光学ヘッド装置において、
前記第１と第２の光源との距離をδとしたとき、前記第１及び第２の光源と前記ホログラムとの距離が２０δから４０δの間であることを特徴とする光学ヘッド装置。
【請求項１０】
前記ホログラムは無偏光ホログラムであることを特徴とする請求項９記載の光学ヘッド装置。
【請求項１１】
第１の波長の光ビームを出射する第１の光源と、前記第１の光源とほぼ同一位置に配置され、前記第１の波長とは異なる第２の波長の光ビームを出射する第２の光源と、前記第１或いは第2の光源とレーザ光を光ディスクに集束照射する対物レンズと、前記光ディスクから反射され前記対物レンズを介して戻ってきた反射光を回折して受光素子に導くホログラムとを有した光学ヘッド装置において、
前記ホログラムには、その取り付け作業を行う時の印として、前記第２の光源の光軸方向の投影位置に第１のマーカーを付けていることを特徴とする光学ヘッド装置。
【請求項１２】
第１の波長の光ビームを出射する第１の光源と、前記第１の光源とほぼ同一位置に配置され、前記第１の波長とは異なる第２の波長の光ビームを出射する第２の光源と、前記第１或いは第2の光源とレーザ光を光ディスクに集束照射する対物レンズと、前記光ディスクから反射され前記対物レンズを介して戻ってきた反射光を回折して受光素子に導くホログラムとを有した光学ヘッド装置において、
前記ホログラムには、その取り付け作業を行う時の印として、前記第１の光源の光軸方向の投影位置と前記第２の光源の光軸方向の投影位置との中間位置に第１のマーカーを付けていることを特徴とする光学ヘッド装置。
【請求項１３】
前記第１の光源からの光ビームを採用したときの開口数ＮＡ１，前記第２の光源からの光ビームを採用したときの開口数ＮＡ２とすると、ＮＡ１＞ＮＡ２であることを特徴とする請求項１０または１１の何れかに記載の光学ヘッド装置。
【請求項１４】
前記ホログラムには、前記受光素子上の任意の点に向かう光軸に対応する位置に第２のマーカーを付けていることを特徴とする請求項１１または１２の何れかに記載の光学ヘッド装置。
【請求項１５】
前記任意の点は前記受光素子の中心であることを特徴とする請求項１４記載の光学ヘッド装置。
【請求項１６】
前記任意の点は、前記受光素子上に設けられたマーカーであることを特徴とする請求項１４記載の光学ヘッド装置。
【発明の詳細な説明】
【技術分野】
【０００１】
この発明は、各種の光学式記録媒体（デジタルビデオディスク（ＤＶＤ）、コンパクトディスク（ＣＤ）等）の記録信号を読み取る場合、或いは記録する場合に有効な光学ヘッド装置に関する。
【背景技術】
【０００２】
近年、記録媒体の分野において、オーディオやデジタルデータを記録した従来のＣＤの直径（１２ｃｍ）同じ大きさでありながら、高密度記録が可能なＤＶＤが開発されている。ＤＶＤはその記録密度が高いために、ＣＤのデータを読み取る光の波長（７８０ｎｍ）よりも短い波長（６５０ｎｍ）のビームを必要とされる。
【０００３】
再生装置としては、ＣＤ、ＤＶＤのいずれのディスクシステムも再生可能なものが望まれている。したがって、多波長型の半導体アレイを用いた光学ヘッド装置（光ピックアップ）として、ＣＤ用の光源（波長７８０ｎｍ）とＤＶＤ用の光源（波長６５０ｎｍ）を有するものが開発されている。
【０００４】
この光学ヘッド装置は、第１の光源と、第２の光源とを有し、第１と第２の光源のいずれからの光ビームでも導かれる回折格子とを有する。回折格子は、特にＣＤ用の光ビームを３ビームに分離するものである。回折格子から出射された光ビームは、ホログラムを通過し、コリメータレンズを通り、コリメータ光となり、対物レンズに入射する。対物レンズにて集光された光は、ディスクの記録面に照射される。ディスクから反射された光は、対物レンズ、コリメータレンズを通り、ホログラムに入射する。ホログラムは、反射光を回折してフォトダイオードを用いた光検出器に導く。光検出器は、フォーカスエラー信号、トラッキングエラー信号、読取り信号を出力する。
【発明の開示】
【発明が解決しようとする課題】
【０００５】
多波長型の従来の光学ヘッド装置においては、対物レンズの光軸に対して、ＤＶＤ用の第１の光源の光軸と、ＣＤ用の第２の光源の光軸とを対称に配置している。しかし、このような配置関係であると、第１の光源及び第２の光源から出射される光は、それぞれ対物レンズに対しては斜入射となり、再生信号の性能が悪化したり、ＤＶＤとＣＤの最良傾角の差が大きくなるという問題がある。
【０００６】
そこでこの発明はの課題に対して、半導体レーザアレイを用いた光学ッドにおいて、ＤＶＤ及びＣＤの最良傾角の差が小さく、かつ再生信号性能のよい光学ヘッド装置を提供することを目的とするものである。
【０００７】
またＤＶＤ及びＣＤの最良傾角の差が小さく、再生信号の再生性能のよい光学レイアウトとするために、上記のようにＣＤ用の光源の光軸と対物レンズの光軸とを合せることが考えられる。しかしこのようにして、ホログラムに関してもホログラム中心を対物レンズの光軸に合せた状態に維持すると、ＤＶＤ用の光源の光軸とホログラムの中心とがずれるので、ＤＶＤ再生時のフォーカスエラー信号が低下するという問題を生じる。
【０００８】
そこでこの発明は、上記の課題に対して、ＤＶＤ，ＣＤ共に品質のよりフォーカス誤差信号を得ることができるようにした光学ヘッド装置を提供することを目的とするものである。
【０００９】
さらにまた、従来の多波長型の半導体レーザアレイを用いた光ピックアップでは、ＤＶＤ用の光源とＣＤ用の光源が離れているために、光源を光軸方向にホログラムに投影した位置と、ホログラムの中心と不一致である。このためにフォーカスエラー信号の品質が劣化という問題がある。これを改善するには、ホログラムは出来るだけ半導体レーザアレイに対して遠い位置に配置することが好ましい。
【００１０】
一方、ホログラムはＤＶＤとＣＤとで共用するために、ディスクの複屈折により再生信号のレベルが変化しないようにしたほうが好ましい。そこで無偏光のホログラムを使用することが考えられる。無偏光のホログラムを使用した場合、送光系では、このホログラムの０次光が対物レンズを介してディスクに照射され、反射系では、このホログラムの＋１次光が光検出器に導かれる。しかし送光系においては、−１次光が、反射系においては０次光が迷光として生じる。この迷光は、再生信号の品質劣化を生じる原因となる。このような迷光を低減するためには、半導体レーザアレイの近くにホログラムを配置し、回折角を大きくとることが好ましい。
【００１１】
上記したように、フォーカスエラー信号の品質に関しては、半導体レーザアレイとホログラムとの距離は遠い方がよく、迷光の低減を得るためには半導体レーザアレイとホログラムとの距離は近い方がよいという、相反する要求がある。
【００１２】
そこでこの発明は、上記の課題に対して半導体レーザアレイとホログラムとの最適な距離を有する光学ヘッド装置を提供することを目的とするものである。
【００１３】
さらに、多波長半導体レーザを用いた光学系を組み立てる場合、各部品間の位置合わせには高精度が要求される。複数部品の配置関係が所定の関係からずれると、再生信号の再生性能として所望の性能が得られない。特に、ＤＶＤ用とＣＤ用のレーザビームに対して共通に用いられる光学系では、いずれのディスクを再生した場合も良好な再生性能を得る必要がある。このために各部品間の位置合わせ方法を工夫する必要がある。
【００１４】
そこでこの発明は、半導体レーザの取り付け精度を緩和することができ、このような緩和状態にあっても再生性能を悪化させるような影響を低減できる光学ヘッド装置のホログラム取り付け方法を提供することを目的とする。
【課題を解決するための手段】
【００１５】
この発明は、上記の目的を達成するために、対物レンズの光軸近傍にＣＤの第２の光源の光軸を合せることを特徴とする。これにより、対物レンズに対して、ＤＶＤでは、斜入射が発生するが、ＣＤでは斜入射は発生しない。ＤＶＤ，ＣＤの互換対物レンズでは、ＤＶＤの斜入射により発生する収差は非点収差であるため、最良傾角や再生信号の性能劣化が小さくなり、ＤＶＤ及びＣＤの最良傾角の差が小さく、且つ再生信号再生性能のよいものとすることができる。
【００１６】
またこの発明は、上記の目的を達成するために、ホログラムの中心を第１と第２の光源の光軸の中間に配置することを特徴とする。これにより、ＣＤ再生時のフォーカス誤差信号の振幅も、ＤＶＤ再生時のフォーカス誤差信号の振幅も適度な振幅となり、装置全体のフォーカス誤差信号の品質を向上することができる。
【００１７】
さらにこの発明は、上記の目的を達成するために、第１の光源と第２の光源との距離をδとしたとき、第１及び第２の光源と前記ホログラムとの距離を２０δ乃至４０δの範囲とするものである。
【００１８】
さらにまたこの発明は、上記の目的を達成するために、ホログラムに対して、ホログラム上のＣＤ用の光源位置と光検出器の光軸方向の投影位置とにマーカーを設けるものである。このようにして付けたマーカーに合せてホログラムを及びＣＤ用の光源、光検出器を組み立てた場合、ＤＶＤ再生時においては光検出器上の受光スポットはＣＤのそれに比べて大きいために、例えば半導体レーザが若干回転した状態で取り付けられたとしても、ＤＶＤ再生のための性能を大きく劣化させることはない。
【発明の効果】
【００１９】
本発明によれば、対物レンズに対して、ＤＶＤでは、斜入射が発生するが、ＣＤでは斜入射は発生しない。ＤＶＤ，ＣＤの互換対物レンズでは、ＤＶＤの斜入射により発生する収差は非点収差であるため、最良傾角や再生信号の性能劣化が小さくなり、ＤＶＤ及びＣＤの最良傾角の差が小さく、且つ再生信号再生性能のよいものとすることができる。
【００２０】
またＣＤ再生時のフォーカス誤差信号の振幅も、ＤＶＤ再生時のフォーカス誤差信号の振幅も適度な振幅となり、装置全体のフォーカス誤差信号の品質を向上することができる。
【００２１】
ＤＶＤ再生時においては光検出器上の受光スポットはＣＤのそれに比べて大きいために、例えば半導体レーザが若干回転した状態で取り付けられたとしても、ＤＶＤ再生のための性能を大きく劣化させることはない。
【発明を実施するための最良の形態】
【００２２】
以下、この発明の実施の形態を図面を参照して説明する。
【００２３】
図１はこの発明の一実施の形態である。半導体レーザ装置１１は、いわゆる１チップレーザと称されるもので、ＣＤ用の光源１ｂ（７８０ｎｍの波長のビームを出力する）、ＤＶＤ用の光源１ａ（６５０ｎｍの波長のビームを出力する）を極めて近接して有する。このいわゆる多波長半導体レーザ装置１１から出射された光は、回折格子１２を透過し、ホログラム１３を透過し、さらにコリメータレンズ１４に入射する。コリメータレンズ１４から出射される光は、平行光であるコリメート光になり対物レンズ１５に入射する。光源から記録媒体に向かう光を送光と称する。対物レンズ１５で収束された光は、記録媒体のピット列（情報記録トラック）に照射される。
【００２４】
記録媒体から反射した光は、対物レンズ１５、コリメートレンズ１４を通り、ホログラム１３に入射する。このホログラム１３では、反射してきた光を屈折させて光検出器１６に導く。
【００２５】
光検出器１６は、例えば図２に示すように、メインビーム（１ビーム）用の４分割フォトダイオード６Ａ，６Ｂ，６Ｃ，６Ｄと、この側部に配置されているサイド（サブ）ビーム用のフォトダイオード６Ｅ、６Ｆで構成されている。
【００２６】
図３は、ＣＤのピット列と、３ビームの関係を示している。理想的には、メインビームが読取りピット列（トラック）の中心線を追従し、前後のサブビームがピット列の左右の端をそれぞれトラッキングする。したがって、光検出器１６においては、フォトダイオード６Ｅ，６Ｆから得られる光電変換出力の差異を得ればトラッキング誤差信号として用いることができる。
【００２７】
ここで本願発明の特徴は、上記の回折格子１２の特性を以下のようにした点に特徴がある。
【００２８】
図３（Ａ）は、回折格子１２において、その位相格子の深さと、０次回折効率、１次回折効率の特性を示している。従来の回折格子であると、ＣＤ用の第２の光源の波長に対する位相格子深さは、（１／３）π付近であった（図３（Ｂ）のａ）。このような場合は、ＤＶＤ用の第１の光源においても１次回折効率が利いてくるため不要なサイドビームが生じる。
【００２９】
しかしこの発明における回折格子１２は、ＤＶＤ用の第１の光源のビームの波長をλ１とし、屈折率をｎとして、その格子溝深さｈ0が
ｈ０＝λ１／（ｎ−１）
となるように構成されている。
【００３０】
ここで回折格子１２の位相格子深さφ０は、
φ０＝２π・ｈ０・（ｎ−１）／λ
より計算される。位相格子深さφ０と回折効率ηとの関係は、図３（Ａ）に示した通りである。ここで、ＤＶＤ用の第１の光源のビームの波長はλ１であるから
φ０＝  ２π・ｈ０・（ｎ−１）／λ１＝２π
となり、このとき０次回折効率η０＝１００％、１次回折効率η１＝０％となる。１次回折効率が０であることは、サブビーム（回折光）が生じないと言うことである。これを実現する回折格子１２の位相格子の溝の深さは約５倍（図３（Ｂ）のｂ）となる。
【００３１】
つまりこの発明では、光ピックアップの光路において、サブビームを必要としない光源（ＤＶＤ用の光源）を使用するときは、その光源の波長のｍ／（ｎ−１）（ｍは自然数、ｎは回折格子の屈折率）の格子溝の深さの回折格子を使用するものである。これにより、ＤＶＤモードではサイドビームが発生せず、メインビームの受光効率を良くすることができ、光源の出射量を上げることなく、信号のＣ／Ｎの向上に寄与できる。
【００３２】
第２の光源（ＣＤ用の光源）が使用されるときは、次のようになる。即ち、光源１ｂから出射された拡散光は、回折格子１２に入力する。第２の光源の波長は、λ２であることから、回折格子１２の位相格子深さφ０は、
φ０＝２π・λ１／λ２
λ２＝７８０ｎｍ，λ１＝６５０ｎｍであるからφ０＝１．６７πとなる。
【００３３】
このときは、図３（Ａ）の特性から見られるように、０次回折効率η０＝約７５％，１次回折効率η１＝約１０％となり、０次のメインビームと±１次のサイドビームが発生する。これにより、回折格子１２はいわゆる３ビーム法と呼ばれるトラッキング誤差信号の検出を実現可能とする。
【００３４】
以上説明したようにこの発明の光学ヘッド装置によると、ＣＤ用の光源１ｂを使用するときは、トラッキング誤差信号の検出に必要なサイドビームを発生させることができ、ＤＶＤ用の光源１ａを使用するときは、サイドビームを発生させることなく、光源１ａから出射する光が損失するのを抑制できる。これにより光源１ａの照射量と再生信号との適度な関係を保つことができ、光ピックアップ装置の品質と信頼性を向上することができる。
【００３５】
この発明は、上記の実施の形態に限定されるものではない。
【００３６】
この光学ヘッド装置が、例えばＤＶＤ−ＲＡＭのように差動プッシュプル法を用いてトラッキングエラー信号を検出する装置に使用された場合には、次のように構成されていてもよい。
【００３７】
即ち、ＤＶＤ用の光源を使用するときのみサイドビームが発生するように、回折格子の格子溝深さｈ０＝λ２／（ｎ−１）とするものである。そしてこのときのサイドビームをトラッキング誤差検出信号を検出するための差動プッシュプル法に使用するものである。
【００３８】
また、格子溝深さｈ０＝λ１／（ｎ−１），ｈ１＝λ２／（ｎ−１）の２つの回折格子を構成して、ＤＶＤ用の光源を使用するときトラッキング誤差検出信号を検出するための差動プッシュプル法を実現できるようにし、ＣＤ用の光源を使用するときは３ビーム法によりトラッキング誤差信号を検出できるように構成してもよい。
【００３９】
このように２種類の或いはそれ以上の格子深さを持つ回折格子の構造としては各種の実施の形態が可能である。
【００４０】
即ち、図４（Ａ）に示すように、回折格子２１の一方の面に溝方向が異なる２種類の凹凸の格子を設けるものである。一方の回折格子特性では、例えば第１の実施の形態で説明したように、ＤＶＤ用の光源が用いられたときは、１次回折効率が０となるように設計され、ＣＤ用の光源が用いられたときは、１次回折効率が１０％、０次回折効率が７５％得られるようにする。また、他方の回折格子特性では、ＤＶＤ−ＲＡＭ記録時のトラッキング誤差検出信号を検出するための差動プッシュプル法を実現できるようにすることができる。
【００４１】
上記の実施の形態では、回折格子２１の一方の面に格子を形成したが、図２（Ｂ）に示すように一方の面と他方の面が異なる回折格子特性となるようにしても良い。例えば面２２Ａでは、第１の実施の形態で説明したように、ＤＶＤ用の光源が用いられたときは、１次回折効率が０となるよに設計され、ＣＤ用の光源が用いられたときは、１次回折効率が１０％、０次回折効率が７５％得られるようにする。また、他方の面２２Ｂでは、ＤＶＤ−ＲＡＭ記録時のトラッキング誤差検出信号を検出するための差動プッシュプル法を実現できるようにすることができる。
【００４２】
位相格子深さφ０と、回折効率ηとの関係は、位相２π毎に周期的に変動するので、格子溝深さｈ０は、上記したｈ０＝λ１／（ｎ−１），ｈ１＝λ２／（ｎ−１）のｍ倍（ｍは自然数）とすることにより、サイドビームの回折効率を所望の値とすることができる。
【００４３】
半導体レーザ装置は、多波長型の半導体レーザアレイでなく、分離されて近傍に配置された異なる複数の半導体レーザを用いたものであってもよい。
【００４４】
次に、この発明の光ヘッド装置が読み取るディスクのピット構造を説明する。
【００４５】
図５（Ａ）はＣＤの記録面の構造であり、図５（Ｂ）は、ＤＶＤ−ＲＯＭの記録面の構造である。図５（Ｃ）は、ＤＶＤ−ＲＡＭの記録面の構造である。このように光ディスクとしては、トラックピッチ、最短ピット長が大きくことなるディスクが存在するために、上述した波長の異なる光ビームを得る光源が必要となっている。
【００４６】
図６は、光学ヘッド装置により読み取られた信号を処理する電気信号の系統の一例を示している。光検出器１６には、図２で説明したようにフォトダイオード６Ａ，６Ｂ，６Ｃ，６Ｄ，６Ｅ，６Ｆが設けられている。各フォトダイオード６Ａ，６Ｂ，６Ｃ，６Ｄ，６Ｅ，６Ｆの出力は、それぞれバッファ増幅器２３ａ，２３ｂ，２３ｃ，２３ｄ，２３ｅ，２３ｆに導入されている。バッファ増幅器２３ａ，２３ｂ，２３ｃ，２３ｄ，２３ｅ，２３ｆから出力される各Ａ〜Ｆ信号は、以下のように演算される。
【００４７】
加算器２３１は（Ａ＋Ｂ）信号を生成し、加算器２３２からは（Ｃ＋Ｄ）信号を生成する。加算器２３３は、加算器２３１からの（Ａ＋Ｃ）信号と、加算器２３２からの（Ｃ＋Ｄ）信号を用いて、（Ａ＋Ｂ）−（Ｃ＋Ｄ）を生成している。この（Ａ＋Ｂ）−（Ｃ＋Ｄ）信号は、フォーカスエラー信号として用いられる。
【００４８】
加算器２３４は、（Ａ＋Ｃ）信号を生成し、加算器２３５は（Ｂ＋Ｄ）信号を生成する。この（Ａ＋Ｃ）信号と、（Ｂ＋Ｄ）信号とは、位相差検出器３１に入力される。位相差検出器３１の出力は、ＤＶＤ用のトラッキングエラー信号として用いられる。一方、サブビームの検出信号に基づいて得られた（Ｅ−Ｆ）信号は、スイッチ３２２がオフされることで無視される。
【００４９】
（Ａ＋Ｃ）信号と、（Ｂ＋Ｄ）信号とは加算器２３６にも入力される。加算器２３５は、（Ａ＋Ｂ＋Ｃ＋Ｄ）信号（ＨＦ信号と記す）を生成している。
【００５０】
Ｅ信号とＦ信号とは、加算器２３７に入力される。加算器２３７からは（Ｅ−Ｆ）信号が得られる。（Ｅ−Ｆ）信号はＣＤ用のトラッキングエラー信号として用いられる。即ち装置がＣＤ再生モードにあるときはスイッチ３２２がオンされる。
【００５１】
この発明は上記の実施の形態に限定されるものではない。
【００５２】
この発明は、第１のディスク（例えばＤＶＤ）及び第２のディスク（例えばＣＤ）の両者に対して再生性能のよい光学レイアウトを有する光学ヘッド装置を提供するものである。このために、反射光を光検出器に導く素子として、無偏光のブレーズホログラムを用いるものである。この構成によると、無偏光の矩形ホログラムに対して１．５倍程度の光利用効率を得られるため、ＤＶＤの再生性能を向上できる。また無偏光のホログラムを使用することにより、ＣＤの複屈折により受光量が変動することがなく、安定した再生信号を得ることができる。
【００５３】
従来の光学ヘッド装置においては、ホログラムと対物レンズの間に（１／４）λ板を設け、この部分で、送光系に対しては直線偏光（Ｐ偏光）から円偏光にし、反射光に対しては円偏光から直線偏光（Ｓ偏光）にしている。これは、光ディスクから反射してきた前記Ｓ偏光をホログラムにおいて、１次回折光に偏光し、光検出器に導くためである。このホログラムは、Ｐ偏光に対しては０次回折光の効率が大きく、Ｓ偏光に対しては１次回折光の効率が大きいという機能を備える。
【００５４】
上記のホログラムとしては、光利用効率のよいものを使用することが好ましい。しかし、このような偏光素子系（（１／４）λ板、及び偏光ホログラム）を使用した場合、ディスクの複屈折により、光検出器における受光量が変動する。このためディスクの複屈折の量が仕様以上に大きいと再生信号が大きく変化すると言う問題が生じる。ＤＶＤの場合は、規格が厳格であるために、複屈折の量が仕様以上に大きいようなものは、市場に出回らないが、ＣＤでは複屈折の量が仕様以上に大きいものが出回っているために、上記偏光素子系を用いたピックアップ装置では、受光量が変動し再生性能に大きな影響を与えることになる。このように、多波長型の半導体アレイを用いた光ピックアップを仕様する場合、ホログラムをＤＶＤ，ＣＤで共用するため、偏光ホログラムを用いると、ＣＤの複屈折により再生信号が大きく変動するという問題が発生する。
【００５５】
そこでこの発明では、図７（Ａ）に示すような構成において，図７（Ｂ）、或いは図７（Ｃ）に示すような無偏光ホログラム１３を用いるものである。
【００５６】
即ちこの発明では、格子形状がブレーズなホログラムを用いるものである。そしてホログラムの格子形状としては、図７（Ｂ）に示すような非対称な形状であっても良いし、また図７（Ｃ）に示すように非対称な階段状であってもよい。
【００５７】
半導体レーザ装置１１は第１の光源１ａから波長６５０ｍｍのＤＶＤ用のビームを出力し、第２の光源１ｂからは波長７８０ｍｍのＣＤ用のビームを出力する。ホログラム１３は、ブレーズのホログラムであり、入射光に対して０次、＋１次の回折効率はほぼ同量であり、−１次の回折効率ははそれと比べて小さい量の特性を持っている。このホログラム１３は、無偏光ホログラムであり、入射光の偏光方向（ＰあるいはＳ偏光）により、回折効率が変化することはない。
【００５８】
ＤＶＤの再生時には、第１の光源１ａより出射した光は、ホログラム１３に入射する。ホログラム１３により出射した０次光は、コリメータレンズ１４によりコリメート光に変換され、対物レンズ１５に入射し、光記録媒体の記録面に集束照射される。光記録媒体から反射してきた反射光は、対物レンズ１５、コリメータレンズ１４を経て、ホログラム１３に入射する。ホログラム１３より出射される＋１次光は、光検出器１６に導かれ、光電変換素子により電子信号に変換される。
【００５９】
ＣＤの再生時には、第２の光源１ｂが使用される。光源１ｂより出射した光はさきと同様な経路を通って、光検出器１６に導かれ、光ディスクからの反射光が光電変換素子により電子信号に変換される。
【００６０】
上記の構成であると、光利用効率の向上が得られるために、ＤＶＤの再生性能を高めることができる。また無偏光のホログラムを使用することにより、ＣＤの副屈折により受光量が大きく変動することなく、安定した再生信号をえることができる。従来の偏光素子系（（１／４）λ板、及び偏光ホログラム）を用いた光学系であると、ＣＤの複屈折により受光量が変動し、図７（Ｄ）に示すように再生信号が大きく変動するという問題があったが、本発明の光学ヘッド装置であるとこのような問題はなくなる。
【００６１】
この発明は上記の実施の形態に限定されるものではない。
【００６２】
この発明は、半導体レーザアレイを用いた光学ヘッドにおいて、ＤＶＤ及びＣＤの最良傾角の差が小さく、かつ再生信号性能のよい光学ヘッド装置を提供する。そのために、対物レンズの光軸近傍にＣＤの第２の光源の光軸を合せることを特徴とする。これにより、対物レンズに対して、ＤＶＤでは、斜入射が発生するが、ＣＤでは斜入射は発生しない。ＤＶＤ，ＣＤの互換対物レンズでは、ＤＶＤの斜入射により発生する収差は非点収差であるため、最良傾角や再生信号の性能劣化が小さくなり、ＤＶＤ及びＣＤの最良傾角の差が小さく、且つ再生信号再生性能のよいものとすることができる。
【００６３】
図８にはその実施の形態を示している。
【００６４】
図８（Ａ）に示すように、ＣＤ用の第２の光源１ｂの光軸が対物レンズ１５の光軸とほぼ一致するような関係となっている。
【００６５】
ＤＶＤの再生時には、第１の光源１ａより出射した拡散光は、ホログラム１３に入射する。ホログラム１３により出射した光は、コリメータレンズ１４によりコリメート光に変換され、対物レンズ１５に入射し、光記録媒体の記録面に集束照射される。光記録媒体から反射してきた反射光は、対物レンズ１５、コリメータレンズ１４を経て、ホログラム１３に入射する。ホログラム１３より回折され出射される＋１次光は、光検出器１６に導かれ、光電変換素子により電子信号に変換される。
【００６６】
ＣＤの再生時には、第２の光源１ｂが使用される。光源１ｂより出射した光はさきと同様な経路を通って、光検出器１６に導かれ、光ディスクからの反射光が光電変換素子により電子信号に変換される。
【００６７】
対物レンズ１５は、図示しない対物レンズ駆動装置によりディスクの面振れや偏心に追従できるように、サーボ装置により、フォーカス方法やトラッキング方向に駆動可能である。
【００６８】
図８（Ｂ）は対物レンズ１５の斜入射と最良傾角との関係を示しており、図８（Ｃ）は対物レンズ１５の斜入射とジッターとの関係を示している。ＤＶＤ／ＣＤの互換性を有する対物レンズは、ＤＶＤ優先で設計される。ＤＶＤの再生時には、斜入射に対して非点収差を発生する。一方、このレンズをＣＤの再生時に使用する場合には、斜入射によって正弦条件が崩れるためにコマ収差が発生する。このため、斜入射によってＣＤの再生時には最良傾角やジッター特性が悪化するが、ＤＶＤでは悪化の度合いが小さい。
【００６９】
上記のように構成することにより、ＣＤ用の光源１ｂを使用するときは対物レンズ１５に対して斜入射が発生しないために、最良傾角やジッター特性の悪化がない。また、ＤＶＤ用の光源１ａを使用するときは、対物レンズ１５に対する斜入射が発生するが、斜入射により発生する収差が非点収差であるために、最良傾角やジッター特性の悪化は許容できる範疇となる。
【００７０】
上記したようにこの発明の装置は、第１、第２の光源を有し、対物レンズ１５を有する。そしてここで第１の光源及び第２の光源は、対物レンズの光軸に対して非対称の関係で配置されているものである。
【００７１】
また第１の光ディスクの基板厚をｔ１、第２の光ディスクの基板厚をｔ２、第１の光源の軸と対物レンズの光軸との距離をδ１、第２の光源の軸と対物レンズの光軸との距離をδ２としたときに、ｔ１＜ｔ２、δ１＞δであることが好ましい。また第２の光源の光軸は、対物レンズの光軸上にほぼ合せられている。また第１及び第２の光源は多波長半導体レーザ装置を構成している。
【００７２】
この発明は、上記の実施の形態に限定されるものではない。
【００７３】
この発明は、ＤＶＤ，ＣＤ共に品質のよりフォーカス誤差信号を得ることができるようにしている。このために、ホログラムの中心を第１と第２の光源の光軸の中間に配置することを特徴とする。これにより、ＣＤ再生時のフォーカス誤差信号の振幅も、ＤＶＤ再生時のフォーカス誤差信号の振幅も適度な振幅となり、装置全体のフォーカス誤差信号の品質を向上することができる。
【００７４】
図９乃至図１０は、その実施の形態を説明するための図である。
【００７５】
図９（Ａ）に示すように、ホログラム１３の中心が第２の光源１ｂの光軸上であって、対物レンズ１５の光軸に一致しているとすると、ホログラム１３において光ビームが透過するエリアは次のようになる。即ち、図９（Ｂ）は、第２の光源１ｂ（ＣＤ用）が使用されているときであり、ホログラムパターン３ａと再生ビーム９ａは同心上にある。これに対して図９（Ｃ）は、第１の光源１ａ（ＤＶＤ用）が使用されているときであり、ホログラムパターン３ａと再生ビーム９ｂは光源の配列方向に大きくずれた状態となる。
【００７６】
このような状態であると、フォーカス誤差信号の信号振幅が大きく低下してしまう。そこで、本発明では、図１０（Ａ）に示すように、対物レンズ１５の光軸１５１は、第２の光源１ｂの光軸にほぼ近い位置に合せられるが、ホログラム１３の中心（＝位相伝達関数の原点）軸１３１は、第１の光源１ａの光軸と、第２の光源１ｂの光軸とのほぼ中間位置に合せて配置されるものである。
【００７７】
図１０（Ｂ）は、光検出器１６の受光素子上のビームパターンの例である。このビームパターンは、例えばＣＤ用のものであり、メインビームが２つに分岐し、また各サブビームもそれぞれ２つに分岐している。動作原理は、先に説明したものと同じである。
【００７８】
図１１（Ａ）には、図１０（Ａ）のように配置されたホログラム１３を有する光学ヘッド装置の側面を示している。このような配置の場合、図１１（Ｂ），図１１（Ｃ）に示すように、第１の光源１ａの光ビーム８ａ及び第２の光源１ｂの光ビーム８ｂの使用領域は、ホログラムパターン３ａの中心からお互いに反対方向にずれた位置となる。
【００７９】
しかしこのような状態になっても、図１１（Ｄ）に示すフォーカスエラー振幅とホログラムパターン上の光ビーム位置との関係特性から分かるように、図１１（Ａ）の配置構成の方が、大きなフォーカスエラー振幅を得ることができる。つまり、ＤＶＤ再生時においてもＣＤ再生時においてもフォーカスエラー信号の振幅として大きな振幅を得ることができる。図９に示したようなホログラムの配置位置であると、図１１（Ｄ）から分かるように、ＤＶＤを再生しているときのフォーカスエラー信号として振幅の小さいものしか得ることができない。
【００８０】
以上の構成により、ＤＶＤ／ＣＤともに適度なフォーカス誤差信号の振幅を得ることができ、ピックアップ装置としての信頼性を向上できる。
【００８１】
一方、ＤＶＤのトラッキング誤差信号は、ホログラムパターン３ａにより４分割された光ビームを光検出器１６の６ａ〜６ｄ（図１０（Ｂ））で受光し、各々の受光量の位相差を検出することで得られる。したがってＤＶＤの光ビーム８ａは、ホログラムパターン３ａの中心に近いことが望まれる。これに対して、ＣＤのトラッキング誤差信号は、３ビーム法を用いるためにホログラムパターン３ａと光ビーム８ｂの相対位置には依存しない。よって、トラッキング誤差信号を考えた場合には、ＤＶＤよりＣＤの方が位置ずれに余裕を持つことになる。
【００８２】
このような考察から、ホログラム１３の中心を光学系の光軸に対して、第１の光源１ａ，第２の光源１ｂの中間位置よりも第１の光源１ａ側に配置することにより、トラッキング誤差信号の振幅を良好に得ることができるようになる。
【００８３】
上記のフォーカスエラー信号は、ホログラム１３に設けられた混合収差法（ＵＳＰ５１６１１３９参照）のレンズ作用により検出される。
【００８４】
上記した発明の装置によると、第１の光ディスクに照射する第１の波長の光ビームを出射する第１の光源と、前記第１の光ディスクとは仕様が異なる第２の光ディスクに照射する、前記第１の光源とほぼ同位置に配置され、第１の波長とは異なる第２の波長の光ビームを前記第１の波長の光ビームとほぼ平行な方向に放出する第２の光源とを有する。そして第１及び第２の光源より出射する光ビームを前記光ディスクの記録、再生面に集束照射し、且つ記録、再生面からの反射光をビームの進行方向と逆方向に通過させるための少なくとも１つの対物レンズを有する。また少なくとも前記記録、再生面と前記対物レンズにより集束照射する光ビームとのフォーカスずれを検出するためのホログラムを有する。
【００８５】
そして、前記第１の光源と第２の光源を含む面内に、前記ホログラムの中心を前記対物レンズの光軸方向に投影した位置が、前記第１及び第２の光源の間に配置されるものである。
【００８６】
また前記投影位置と前記第１の光源との距離をδ１とし前記投影位置と前記第２の光源との距離をδ２としたときに、δ１＝δ２としてもよい。さらには、前記ホログラムは混合収差法によりフォーカスずれを検出されるものである。
【００８７】
またこの発明の装置は、第１の光ディスクに照射する第１の波長の光ビームを出射する第１の光源と、前記第１の光ディスクとは仕様が異なる第２の光ディスクに照射する、前記第１の光源とほぼ同位置に配置され、第１の波長とは異なる第２の波長の光ビームを前記第１の波長の光ビームとほぼ平行な方向に放出する第２の光源とを有する。そして前記第２の光ディスクのトラッキングずれを検出するためのサイドビームを発生するための回折格子を有する。また上記対物レンズ、及びホログラムを有する。
【００８８】
ここで、前記第１の光源及び第２の光源を含む面内に、前記ホログラムの中心を前記対物レンズの光軸方向に投影した投影位置と、前記第１の光源との距離をδ１、前記投影位置と、前記第２の光源との距離をδ２としたときδ１＜δ２とするものである。
【００８９】
この発明は上記の実施例に限定されるものではなく、以下、さらに他の実施の形態を説明する。
【００９０】
多波長型の半導体レーザアレイを用いた光ピックアップでは、ＤＶＤ用の光源とＣＤ用の光源が離れているために、光源を光軸方向にホログラムに投影した位置と、ホログラムの中心と不一致である。このためにフォーカスエラー信号の品質が劣化という問題がある。これを改善するには、ホログラムは出来るだけ半導体レーザアレイに対して遠い位置に配置することが好ましい。
【００９１】
一方、ホログラムはＤＶＤとＣＤとで共用するために、ディスクの複屈折により再生信号のレベルが変化しないようにしたほうが好ましい。そこで無偏光のホログラムを使用することが考えられる。無偏光のホログラムを使用した場合、送光系では、このホログラムの０次光が対物レンズを介してディスクに照射され、反射系では、このホログラムの＋１次光が光検出器に導かれる。しかし送光系における、−１次光が、反射系における０次光として光検出器に到達し、迷光を生じる。この迷光は、再生信号の品質劣化を生じる原因となる。このような迷光を低減するためには、半導体レーザアレイの近くにホログラムを配置し、回折角を大きくとって、送光系における−次光を開口によって遮断することが好ましい。
【００９２】
上記したように、フォーカスエラー信号の品質に関しては、半導体レーザアレイとホログラムとの距離は遠い方がよく、迷光の低減を得るためには半導体レーザアレイとホログラムとの距離は近い方がよいという、相反する要求がある。
【００９３】
そこでこの発明は、半導体レーザアレイとホログラムとの最適な距離を設定できるようにしたものである。
【００９４】
図１２（Ａ）は光学ヘッド装置の構成図である。ＤＶＤ再生時には、第１の光源１ａより出射した光は、ホログラム１３に入り、コリメータレンズ１４によりコリメート光に変換される。コリメータレンズ１４より出射したコリメート光は、開口により適切な開口数に制限され、対物レンズ１５に入射し、記録媒体の記録面に集束照射される。記録媒体からの反射光は、対物レンズ１５、開口、コリメータレンズ１４を経てホログラム１３に入射する。ホログラム１３は＋１次回折光を出射し、この光は光検出器１６に導かれる。ここでは光を電気信号に変換する動作が行われている。
【００９５】
一方、ＣＤ再生時には、第２の光源１ｂが使用される。第１の光源１ｂより出射した光は、先と同様な経路を通り、記録媒体からの反射光が光検出器１６に導かれる。
【００９６】
このように、この光学ヘッド装置は、１つのホログラム１３を第１の光源使用時と第２の光源使用時とで共用している。ここで、ホログラム１３における回折角は、波長にほぼ比例するために、波長の短いＤＶＤ用の第１の光源１ａを光検出器１６側に配置し、ＣＤ用の第２の光源１ｂを光検出器１６から第１の光源１ａよりも遠い位置に配置する。このようにすると、１つの光検出器１６により、第１及び第２の光源からの光を受光可能となる。
【００９７】
ここで回折角は波長にほぼ比例するために、第１の光源１ａから第２の光源１ｂまでの距離と、第１の光源１ａから光検出器１６までの距離も比例関係にある。
【００９８】
図１２（Ａ）に示すように多波長型の半導体レーザアレイでは、第１の光源、第２の光源が離れた位置にあるために第１の光源及び第２の光源を光軸方向にホログラムに投影した位置と、ホログラム１３の中心とを同時に一致させることはできない。したがって図１２（Ｂ）に示すようにホログラム１３のホログラムパターンの中心に対してはビームはずれた位置にある。
【００９９】
ここで図１２（Ｃ）は、半導体レーザ光源からホログラム１３までの距離と２つの光源間の距離の比を横軸とし、縦軸にフォーカスエラー信号の振幅を示したものである。半導体レーザからホログラム１３までの距離が大ききなると、ホログラム１３上のビームが大きくなるために、光源ずれの影響が相対的には小さくなり、フォーカスエラー信号の振幅が大きくなる。
【０１００】
光源ずれがないときのフォーカスエラー信号の振幅を１としたとき、振幅低下の許容値は０．８であるから、これより、半導体レーザ光源からホログラム１３までの距離と２つの光源間の距離の比は２０以上あることが望ましい。
【０１０１】
一方、図１２（Ａ）に示すように、送光系のホログラムの−１次光は、その一部が開口で制限されず、対物レンズ１５に入射することがある。この光は、受光系のホログラム１３の０次光に光り検出器１６に入射してしまい、迷光となる。
【０１０２】
図１２（Ｄ）は送光系の０次光及び送光系の−１次光の光量比を横軸にとり、縦軸に再生信号ジッターを示したものである。光量比が大きいほど、Ｓ／Ｎが良くなって再生信号ジッタが低下する。
【０１０３】
図１２（Ｅ）は、半導体レーザ光源からホログラム１３までの距離と光源間の距離の比を横軸にとり、縦軸に送光系の−１次光を示している。送光系の−１次光の許容範囲を見ると、半導体レーザ光源からホログラム１３までの距離と２つの光源間の距離の比は、４０以下であることが望ましい。
【０１０４】
以上の結果から半導体レーザ光源からホログラム１３までの距離と、２つの光源間の距離との比は、２０以上、４０以下に選定することでフォーカスエラー信号の品質が良く、再生信号再生性能の良好な光ヘッドを得られることが理解できる。
【０１０５】
この発明では、上記の光学ヘッド装置の組み立てを高精度で得られる製造方法についても提供する。
【０１０６】
今、図１３（Ａ）に示すような各部品の配置関係で光学ヘッド装置を組み立てるものとする。ここで半導体レーザ装置１１が多波長半導体レーザ装置であることに着目しなければならない。例えばＣＤ用の光源１ｂ（７８０ｎｍの波長のビームを出力する）、ＤＶＤ用の光源１ａ（６５０ｎｍの波長のビームを出力する）を極めて近接して有する。ホログラム１３は、半導体レーザ装置１１、光検出器１６と１０μｍ程度の精度で一体となるように構成される。
【０１０７】
このような組み立てを容易にするために、図１３（Ｂ）に示すように、本発明ではホログラム１３にマーカー３ａ，３ｂを付している。そしてマーカー３ａは、第２の光源１ｂを光軸方向に投影した位置に設けられ、マーカー３ｂは光検出器１６をその光軸方向へ投影した位置に設けられている。
【０１０８】
そして、組み立て時にホログラム１３の位置調整を行う場合には、例えば顕微鏡によりコリメータ１４側からレーザ装置側が観察され、マーカー３ａ，３ｂが所定の光軸と合致するようにマーカー位置が調整される。
【０１０９】
図１３（Ｃ）には、第２の光源１ｂをホログラム１３のホログラムパターンの中央に設けられたマーカー３ａに合せて、かつ光検出器１６へ導かれる光軸をマーカー３ｂに合せた状態の一例を示している。
【０１１０】
通常であれば、半導体レーザ装置１１の第１の光源１ｂのビームは、マーカー３ａと３ｂを結ぶ線上に合致するのであるが、この例では、半導体レーザ装置１１が若干回転した状態で配置されている様子を示している。
【０１１１】
このような状態で位置合わせが行われた場合に、光検出器１６の４分割ダイオードの上に形成されるビームスポットの例を、図１３（Ｄ），図１３（Ｅ）に示している。
【０１１２】
図１３（Ｄ）は、ＤＶＤ用のメインビームのビームスポットを示しているが、図１３（Ｃ）で示したように、第１の光源１ａのホログラム上の投影スポットがマーカー３ａと３ｂを結ぶ線上からずれているために、光検出器１６の光電変換素子上に導かれた反射光のスポットは、光電変換素子上の所望の位置から若干ずれている。つまり光電変換素子の分割線上で非対称なスポットとなる。しかしながら、ＤＶＤ用のビームの場合は、開口が大きいために、ビームスポットの径も大きく、このように、所望の位置からずれていたとしても再生信号の再生機能の悪化はほとんどない。つまり、ずれによる再生性能の影響は、次に説明するＣＤ用のビームスポットのずれの再生性能の影響に比べて相対的には少ない。
【０１１３】
これに対して、図１３（Ｅ）は、ＣＤ用のメインビームのビームスポットを示している。図１３（Ｃ）で示したように、第２の光源１ｂに関しては、そのホログラム上の投影スポットがマーカー３ａに合致するように調整したために、光検出器１６に導かれる反射光のスポットは、光電変換素子上の所望の位置に合致している。
【０１１４】
この発明は上記の実施の形態に限定されるものではなく、図１４に示すような方法であってもよい。即ち、半導体レーザ装置１１の第１と第２の光源１ａ，１ｂの光の投影位置の中間に第１のマーカー３ａを設け、光検出器１６の４分割ダイオードの中間位置を光軸方向に投影した位置にマーカー３ｂを設けている。半導体レーザ装置１１及び光検出器１６は、図示しない基板上に取り付けられている。これにホログラム１３をマウントするとき、半導体レーザ装置１１及びホログラム１３を光軸方向より観察し、ホログラム１３上のマーカー３ａが光源１ａ
と１ｂの中心に合致し、ホログラム１３の第２のマーカー３ｂが光検出器１６のメインビーム検出部の中心（４分割ダイオードの中心）に合致するするように調整して、このホログラムを固定するものである。このように構成することにより、半導体レーザ装置１１が所望の位置から若干ずれた状態（図１４（Ａ）の回転した例）で取り付けられている場合でも、ＤＶＤ用の第１の光源１ａ、ＣＤ用の第２の光源１ｂともにホログラム１３のマーカーに対してずれて配置される。これにより、光検出器１６上のＤＶＤ用のビームスポット、及びＣＤ用のビームスポットは、図１４（Ｂ），図１４（Ｃ）に示すようにいずれも分割線に対して非対称な形状で形成される。この実施の形態では、ＤＶＤ再生においてもＣＤ再生においても、再生性能のいずれか一方が大きく低減するというようなことはない。
【０１１５】
上記の光ヘッド装置においては、第１の光源からの光ビームを採用したときの開口数ＮＡ１，第２の光源からの光ビームを採用したときの開口数ＮＡ２とすると、ＮＡ１＞ＮＡ２である。
【０１１６】
この発明の概念は、図１で説明した技術思想と、図７で説明した技術思想を組み合わせて適用しても良いことは勿論のことである。さらにまたこのような技術思想に対して、選択的に、或いは複合的に図８で説明した技術思想を適用しても良いことは勿論である。
【０１１７】
またこの発明は、図８で説明した技術思想と、図１０で説明した技術思想との両方を合せ持つ思想の含むものである。さらにまた、図７で説明した技術思想をさらに組み合わせてもよく、このような思想も本発明の範疇である。
【０１１８】
さらにまた、上記の各技術思想に対して、図１２で説明した技術思想を組み合わせて良いことは勿論のことである。
【０１１９】
以上説明したようにこの発明によれば、第１の波長の光源を用いているときはサイドビームを発生するが、第２の波長の光源を用いているときはサイドビームを発生しないようにし、第２の光源の光の利用効率を上げることができる。
【図面の簡単な説明】
【０１２０】
【図１】この発明の一実施の形態による光学ヘッド装置の構成説明図。
【図２】図１の光検出器の構成説明図と、３ビーム法でデータを読み取るときのビームスポットの説明図。
【図３】この発明の原理を説明するために示した位相格子深さと回折効率の特性及び格子深さの説明図。
【図４】この発明の他の実施の形態における回折格子の説明図。
【図５】ＣＤ、ＤＶＤ−ＲＯＭ、ＤＶＤ−ＲＡＭの記録面を示す説明図。
【図６】この発明に係る光学ヘッド装置の電気的信号処理経路の例を示す図。
【図７】この発明の更に他の実施の形態を示すもので、無偏光ホログラムを用いた装置の説明図。
【図８】さらにまた発明に更に他の実施の形態を示すもので、第１と第２の光源の光軸に対して対物レンズの光軸が非対称に配置された装置の説明図。
【図９】ホログラムに投影されるビームスポットの説明図。
【図１０】さらにまた発明に更に他の実施の形態を示すもので、ホログラムの中心位置を対物レンズの光軸からずらした装置の説明図。
【図１１】図１０の装置におけるホログラムに投影されるビームスポットの説明図。
【図１２】この発明の装置の更に他の実施の形態を示すもので、半導体レーザ装置とホログラムとの距離と、半導体レーザ装置の第１、第２の光源間の距離との関係を工夫した装置の説明図。
【図１３】この発明に係る装置の組み立て方法を説明するために示した図。
【図１４】さらに別の組み立て方法を説明するために示した図。
【符号の説明】
【０１２１】
１１…半導体レーザ装置、１２…回折格子、１３…ホログラム、１４…コリメータレンズ、１５…対物レンズ。
【図１】
2004171786.tif 000003
【図２】
2004171786.tif 000004
【図３】
2004171786.tif 000005
【図４】
2004171786.tif 000006
【図５】
2004171786.tif 000007
【図６】
2004171786.tif 000008
【図７】
2004171786.tif 000009
【図８】
2004171786.tif 000010
【図９】
2004171786.tif 000011
【図１０】
2004171786.tif 000012
【図１１】
2004171786.tif 000013
【図１２】
2004171786.tif 000014
【図１３】
2004171786.tif 000015
【図１４】
2004171786.tif 000016